(57)【要約】      （修正有）【課題】通常の巻上げりゅうずよりも使用が容易であり、巻上げサイクル数を低減して時計を完全に巻き上げることができる、巻上げ機構を提供する。【解決手段】巻上げデバイス１は、ラック４を駆動し香箱３００を巻き上げる入れ子式プッシュピース２を備え、プッシュピース２は、制御巻真５００とは別個であり、ケースに固定したパイプと操作頭部７との間に、第１の弾性戻り手段を備え、第１の弾性戻り手段は、頭部７をパイプから離して移動させる性質をもち、頭部７は、載置位置に対応する角度長手方向係止位置、又は軸方向移動を可能にする角度自由位置、又は停止位置を占めることができ、停止位置では、頭部７は、１自由回転度を有し、第２の弾性戻り手段５に対して移動可能であるラック４は、巻上げ車セット４２と協働し、巻上げ車セット４２は、中間ラック４３と嵌合し、中間ラック４３は、第２の弾性戻り手段５の戻りばね４４によって作動する。【選択図】図１
2018155744.tif 000002
【特許請求の範囲】
【請求項１】
時計（１００）の構造体（７００）に固着するように構成した巻上げデバイス（１）であって、前記時計（１００）は、少なくとも１つの香箱（３００）を収容するケース（２００）、前記ケース（２００）に対して移動可能であり、少なくとも針設定機能を制御する巻真（５００）を備え、前記巻上げデバイス（１）は、入れ子式に拡張可能である引込み式差込みプッシュピース（２）を備え、前記引込み式差込みプッシュピース（２）は、前記ケース（２００）に固定するように構成したパイプ（２１）と、制御部材（８）を支持するユーザ作動可能頭部（７）との間に、前記頭部（７）を前記パイプ（２１）から離して移動させる性質をもつ第１の弾性戻り手段（６）を備え、前記頭部（７）は、前記パイプ（２１）の長手方向軸に対して、停止位置（ＰＢ）及び作動位置（ＰＡ）である２つの最端部位置の間を並進移動可能であり、前記停止位置（ＰＢ）では、前記頭部（７）は、前記ケース（２００）に可能な限り近接し、前記頭部（７）は、前記パイプ（２１）の長手方向軸に対して１自由回転度を有し、前記作動位置（ＰＡ）は、ユーザがより容易にアクセス可能な最大伸長位置であり、前記頭部（７）は、割送り角度位置において、前記ケース（２００）に対して回転状態で割り送り、前記頭部（７）は、前記停止位置（ＰＢ）と前記作動位置（ＰＡ）との間において載置位置（ＰＲ）を占めることができ、前記載置位置（ＰＲ）では、前記頭部（７）は、前記パイプ（２１）に対して、前記割送り角度位置とは異なる少なくとも１つの角度係止位置において長手方向に固定することができ、前記巻真（５００）とは別個である前記プッシュピース（２）は、もっぱら巻上げ機能専用であり、前記香箱（３００）を巻き上げるために前記香箱（３００）の少なくとも胴部を間接的に駆動するか、又は前記角穴車（４００）を間接的に駆動するように構成し、前記制御部材（８）は、直線的に移動可能であり、ユーザの作用時、少なくとも１つの移動可能ラック（４）を第２の弾性戻り手段（５）に対して駆動するように構成する、巻上げデバイス（１）において、前記少なくとも１つのラック（４）は、摺動可能に組み付け、案内手段又は少なくとも２つの支持体（４１）によって案内し、巻上げ車セット（４２）と協働し、前記巻上げ車セット（４２）は、少なくとも１つの戻りばね（４４）によって作動する中間ラック（４３）と嵌合し、前記少なくとも１つの戻りばね（４４）は、前記第２の弾性戻り手段（５）内に備えることを特徴とする、巻上げデバイス（１）。
【請求項２】
前記巻上げ車セット（４２）は、摺動中間車（４５）と嵌合し、前記摺動中間車（４５）は、前記プッシュピース（２）を作動すると、前記摺動中間車（４５）の回転方向に応じて、前記角穴車（４００）若しくは伝え車（４６）と嵌合し、前記伝え車（４６）と嵌合した場合、前記伝え車（４６）は、前記角穴車（４００）若しくは前記香箱（３００）の胴部と嵌合する、又は前記角穴車（４００）及び前記伝え車（４６）と嵌合しないことを特徴とする、請求項１に記載の巻上げデバイス（１）。
【請求項３】
前記巻上げ車セット（４２）は、少なくとも１つの逆転カナ（４７）を介して摺動中間車（４５）と嵌合することを特徴とする、請求項２に記載の巻上げデバイス（１）。
【請求項４】
前記巻上げデバイス（１）は、前記伝え車（４６）又は前記角穴車（４００）と協働する第３の弾性戻り手段又はコハゼ（４８）を備えることを特徴とする、請求項２に記載の巻上げデバイス（１）。
【請求項５】
前記ラック（４）は、直線移動可能であること、及び前記頭部（７）は、第１の直線行程上を移動可能であり、前記第１の直線行程は、前記ラック（４）が移動可能である第２の直線行程に対して平行であることを特徴とする、請求項１に記載の巻上げデバイス（１）。
【請求項６】
前記巻上げデバイス（１）は、前記巻真（５００）とは別個であるモジュールを形成し、前記ケース（２００）に固定するように構成することを特徴とする、請求項１に記載の巻上げデバイス（１）。
【請求項７】
前記パイプ（２１）は、心軸（８１）を案内する第１のボア（２２）を備え、前記心軸（８１）は、前記頭部（７）に固定し、ラック（４）を推進するか又は計時器構成要素を移動させる前記制御デバイス（８）を形成することを特徴とする、請求項１に記載の巻上げデバイス（１）。
【請求項８】
前記プッシュピース（２）は、別個のモジュールを形成することを特徴とする、請求項１に記載の巻上げデバイス（１）。
【請求項９】
前記パイプ（２１）は、推力カラー（２３）に近接して円筒形肩部（２４）を備え、前記円筒形肩部（２４）の上で、前記頭部（７）のボア（７２）を摺動させ、前記円筒形肩部（２４）の内部には、前記円筒形肩部（２４）の軸に平行な少なくとも１つの長手方向スロット（２５）を設け、前記円筒形肩部（２４）の内部で、前記頭部（７）の前端部（７１）と一体である突起（７３）を摺動させ、前記少なくとも１つの長手方向スロット（２５）により、前記カラー（２３）の近傍に凹部（２７）がもたらされ、前記凹部（２７）は、前記頭部（７）が前記パイプ（２１）に対して適切に回転した際に、前記突起（７３）を受け入れることができる差込み輪郭を形成し、前記頭部（７）の前記パイプ（２１）に対する軸方向停止部を形成することを特徴とする、請求項１に記載の巻上げデバイス（１）。
【請求項１０】
前記パイプ（２１）は、第１の室（２８）を備え、前記第１の室（２８）は、第２の室（７８）と位置合わせし、前記第２の室（７８）は、ばね（３１）を受け入れるために前記頭部（７）内に備え、前記ばね（３１）は、前記頭部（７）を前記パイプ（２１）から離して移動させる性質があり、前記ばね（３１）は、前記第１の弾性戻り手段（６）を形成することを特徴とする、請求項１に記載の巻上げデバイス（１）。
【請求項１１】
前記パイプ（２１）は、第１の室（２８）を備え、前記第１の室（２８）は、第２の室（７８）と位置合わせし、前記第２の室（７８）は、ばね（３１）を受け入れるために前記頭部（７）内に備え、前記ばね（３１）は、前記頭部（７）を前記パイプ（２１）から離して移動させる性質があり、前記ばね（３１）は、前記第１の弾性戻り手段（６）を形成する、巻上げデバイス（１）において、前記凹部（２７）は、筐体（２７０）を備え、前記筐体（２７０）は、載置位置において前記突起（７３）を収容するように構成し、外周停止部（２９）によって前記長手方向スロット（２５）から分離し、前記頭部（７）による軸方向移動がない中で前記突起（７３）を前記筐体（２７０）内部に収容する場合に前記頭部（７）の一切の回転を防止することを特徴とする、請求項９に記載の巻上げデバイス（１）。
【請求項１２】
請求項１に記載の少なくとも１つの巻上げデバイス（１）を固定する構造体（７００）を含む計時器ムーブメント（６００）。
【請求項１３】
少なくとも１つの香箱（３００）を収容するケース（２００）、及び少なくとも時間設定機能を制御するために前記ケース（２００）に対して移動可能である巻真（５００）を備える時計（１００）であって、前記時計（１００）は、請求項１に記載の巻上げデバイス（１）に固定した構造体（７００）を備えるか、又は請求項１２に記載のムーブメント（６００）を備え、前記ケース（２００）は、前記プッシュピース（２）を収容する少なくとも１つの室（２０１）を備え、前記プッシュピース（２）は、前記巻真（５００）から離れている、時計（１００）。
【請求項１４】
少なくとも１つの香箱（３００）を収容するケース（２００）、及び少なくとも時間設定機能を制御するために前記ケース（２００）に対して移動可能である巻真（５００）を備える時計（１００）であって、前記時計（１００）は、請求項１に記載の巻上げデバイス（１）に固定した構造体（７００）を備えるか、又は請求項１２に記載のムーブメント（６００）を備え、前記ケース（２００）は、プッシュピース（２）を収容する少なくとも１つの室（２０１）を備え、前記プッシュピース（２）は、前記巻真（５００）から離れている、時計（１００）において、前記時計（１００）は、機械式時計であることを特徴とする、時計（１００）。
【発明の詳細な説明】
【技術分野】
【０００１】
本発明は、時計の構造体に固着するように構成した巻上げデバイスに関し、時計は、少なくとも１つの香箱を収容するケース、少なくとも針設定機能を制御し、ケースに対して移動可能である巻真を備え、前記巻上げデバイスは、引込み式差込みプッシュピースを備え、前記引込み式差込みプッシュピースは、入れ子式に拡張可能であり、前記ケースに固定するように構成したパイプと、制御部材を支持するユーザ作動可能頭部との間に、前記頭部を前記パイプから離して移動させる性質をもつ第１の弾性戻り手段を備え、前記頭部は、前記パイプの長手方向軸に対して、停止位置及び作動位置である２つの最端部位置の間を並進移動可能であり、停止位置では、前記頭部は、前記ケースに可能な限り近接し、前記頭部は、前記パイプの長手方向軸に対して１自由回転度を有し、作動位置は、ユーザがより容易にアクセス可能な最大伸長位置であり、前記頭部は、割送り角度位置において、前記ケースに対して回転状態で割り送りされ、前記頭部は、前記停止位置と前記作動位置との間において載置位置を占めることができ、載置位置では、前記頭部は、パイプに対して、前記割送り角度位置とは異なる少なくとも１つの角度係止位置において長手方向に固定することができ、前記巻真とは別個である前記プッシュピースは、もっぱら巻上げ機能専用であり、前記香箱を巻き上げるために前記香箱の少なくとも胴部を間接的に駆動するか、又は前記角穴車を間接的に駆動するように構成し、前記制御部材は、直線的に移動可能であり、ユーザの作用時、少なくとも１つの移動可能ラックを第２の弾性戻り手段に対して駆動するように構成する。
【０００２】
本発明は、少なくとも１つのそのような巻上げデバイスを固定した前記構造体を含む計時器ムーブメントにも関する。
【０００３】
本発明は、そのような巻上げデバイスを含む時計にも関する。
【０００４】
本発明は、時計のためのエネルギーを投入する機構の分野に関する。
【背景技術】
【０００５】
時計、特に機械式時計の手動巻上げは、巻真に加えられる応力及び構成要素の摩耗のために、製造業者にとって常に気がかりなことである。特に、アクセスしづらく極度に小さいことが多い巻上げりゅうずによって小型寸法の時計を巻き上げることは不便である。
【０００６】
したがって、ユーザにとって、特に女性用時計ではアクセスが困難であることがある、非常に小さな直径の巻上げボタン及びプッシャを用いて高いトルク及び力を適切に伝達することは困難であり、アクセスしやすさは、ユーザの爪の長さによっては更に困難である場合がある。
【０００７】
特に、Ｌｅｏｎ  Ｈａｔｏｔによって他の機構が作製されており、Ｌｅｏｎ  Ｈａｔｏｔは、女性用時計のために、巻上げりゅうずを覆う摺動シャッタを作製しており、この摺動シャッタを開放すると動力の投入がもたらされる。
【０００８】
同時に、そのような機構により、時計を完全に巻き上げるために実施しなければならない多数のサイクルのために、多くの動力を蓄えることが困難になる。例えば、単一香箱を備える小型の女性用時計を完全に巻き上げるために、巻真が２０を超える回転を必要とすることもまれではない。巻上げボタンに加えられるトルクを低減するために、歯車比を低減しなければならないことが多い。更に、利用可能な空間とは、自動巻上げ機構の収容が常に可能であることを意味するものではない。
【０００９】
ＧＬＯＢＯ名義の仏特許出願第１２６９５６９Ａ号は、制御部材を開示しており、制御部材は、筐体に固定する本体、前記本体内部で、載置位置と作動位置との間を軸方向に移動可能なプッシュピースを備える。プッシュピースは、少なくとも、プッシュピースが本体に対して決定された軸方向位置を占めている場合に、本体内部で回転することができる。プッシュピース及び本体は、係止部材を有し、係止部材は、プッシュピースが、載置位置において占める角度位置から本体に対して回転したときに、自然に移動し互いに嵌合してプッシュピースを作動位置に保持する。プッシュピースは、戻りばねの作用を受け、戻りばねは、プッシュピースを載置位置に保持する性質をもち、係止部材は、差込み結合デバイスを形成する。本体は、スリーブによって形成し、プッシュピースは、中空制御ボタンを支持する巻真によって形成し、中空制御ボタンは、スリーブの開放端部を囲む外壁を有する。差込み結合デバイスの要素の一方は、Ｌ字形凹部によってスリーブ内に形成し、要素のもう一方は、ピンによって形成し、ピンは、制御ボタンの壁内に突出し、前記凹部を貫通している。一変形形態では、本体は、プッシュピースを通すように成形した開口を有する内側縁部を有し、プッシュピースは、開口の形状と対応する形状の一部分を有し、プッシュピースのこの部分は、プッシュピースが載置しているときに開口内で係合し、プッシュピースが作動位置にあるときに縁部の下に位置し、本体の縁部及び対応するプッシュピース部分は、係止部材を形成する。別の変形形態では、係止部材は、対応する雌ねじ及び雄ねじによって形成し、雌ねじ及び雄ねじは、プッシュピースが載置位置にあるときに互いから離れており、プッシュピースが作動位置に移動した瞬間に互いと係合し、プッシュピースは、本体の対応するねじ山内で永続的に係合するねじ山を有する。
【００１０】
ＭＯＮＴＲＥＳ  ＢＲＥＧＵＥＴ  ＳＡ名義の特許出願第ＣＨ７１０２７１Ａ２は、時計機能を開始及び／又は停止する入れ子式制御部材を開示しており、入れ子式制御部材は、ケースの開口内に駆動される固定本体を備え、ケース内部で、プッシュ・ボタンを摺動させる。制御部材は、弾性戻り手段、制御機構と協働するように構成した軸方向移動可能巻真、及び入れ子手段によって巻真に固定した巻上げりゅうずを備える。入れ子手段は、巻上げりゅうずと一体である中間要素を備え、中間要素は、巻真上に案内するように構成し、少なくとも２つの軸方向位置において巻真と一体であるように構成し、制御部材が、制御部材が動作不能である後退位置から、制御部材が機能を開始及び／又は停止することができる展開位置又は「動作位置」に移動できるようにする。
【００１１】
ＧＬＡＳＨＵＥＴＴＥＲ  ＵＨＲＥＮＢＥＴＲＩＥＢ  ＧｍｂＨ名義の特許出願第ＷＯ０２／０７７７２４Ａ２号は、時打デバイスを開示し、時打デバイスは、時計ムーブメントとは別個であるぜんまいを有する香箱によって作動する。時計は、時打デバイスを解放する手作動可能機械式制御手段を備える。香箱は、巻上げ棒によって巻き上げられ、巻上げ棒の自由端は、歯付き区分で終端し、一方では巻上げプッシュピースに運動学的に接続し、もう一方では時打機構のぜんまいに運動学的に接続している。
【００１２】
ＳＴＡＵＦＦＥＲ名義の特許第ＣＨ１２１７４号は、リピーター時計内で時打香箱を巻き上げる機構を開示しており、リピーター時計は、円筒形ペンダント上をペンダントの軸に平行に移動するりゅうずによって作動する。
【００１３】
ＣＨＥＶＡＬ  ＦＲＥＲＥＳ名義の特許出願第ＦＲ２９９３０６２Ａ１号は、時計巻上げりゅうずを開示しており、時計巻上げりゅうずは、軸方向に回転して変位する状態で、ケース上に固定した管を通じてケースを横断するねじ付き心軸と関連付けられ、巻上げりゅうずの反対側のケース端部の一方で、様々な時計機能を駆動する機構の巻真に接続されている。巻上げりゅうずは、ケース内で、実質的に対応する形状の外側凹部の内部に収容され、凹部の内部に巻上げりゅうずを後退させることができ、凹部から入れ子式並進手段によって巻上げりゅうずを取り出すことができ、入れ子式並進手段は、手動パルス解放デバイスによって自動的に作動し、手動パルス解放デバイスは、巻上げりゅうずの筐体内部に収容されている。
【先行技術文献】
【特許文献】
【００１４】
【特許文献１】仏特許出願第１２６９５６９Ａ号
【特許文献２】特許出願第ＣＨ７１０２７１Ａ２
【特許文献３】特許出願第ＷＯ０２／０７７７２４Ａ２号
【特許文献４】特許第ＣＨ１２１７４号
【特許文献５】特許出願第ＦＲ２９９３０６２Ａ１号
【発明の概要】
【発明が解決しようとする課題】
【００１５】
本発明は、通常の巻上げりゅうずよりも使用が容易であり、巻上げサイクル数を低減して時計を完全に巻き上げることができる、特に女性用時計等の小型寸法の時計のための巻上げ機構の定義を提案するものである。
【課題を解決するための手段】
【００１６】
この目的で、本発明は、請求項１に記載の巻上げデバイスに関する。
【００１７】
本発明は、少なくとも１つのそのような巻上げデバイスを固定した構造体を備える計時器ムーブメントにも関する。
【００１８】
本発明は、そのような巻上げデバイス又はそのようなムーブメントを備える時計にも関する。
【００１９】
本発明の他の特徴及び利点は、添付の図面を参照しながら以下の詳細な説明を読めば明らかであろう。
【図面の簡単な説明】
【００２０】
【図１】本発明による巻上げデバイスを備える計時器ムーブメントの概略斜視底面図であり、巻上げデバイスは、香箱を巻き上げるように構成し、プッシュピースは、その３つの注目すべき位置：載置位置、作動位置及び停止位置内で表される。
【図２】図１のムーブメントの概略斜視上面図である。
【図３】図１のムーブメントを収容するケースを備える時計の概略上面図である。
【図４】図３の時計の概略底面図である。
【図５】図４の断面Ａ−Ａに沿った、同じ時計の概略断面図である。
【図６】図３の時計の一部分の概略斜視上面図であり、構造体は、本発明による巻上げデバイスを支持する。
【図７】本発明による巻上げデバイスのプッシュピースの概略斜視図であり、プッシュピースは、別個のモジュールを形成する。
【図８】同様の、プッシュピース内に備えたパイプの図である。
【図９】プッシュピースの軸、プッシュピース・モジュールそれぞれに対する作動位置における概略長手方向断面図である。
【図１０】プッシュピースの軸、プッシュピース・モジュールそれぞれに対する載置位置における概略長手方向断面図である。
【図１１】プッシュピースの軸、プッシュピース・モジュールそれぞれに対する停止位置における概略長手方向断面図である。
【発明を実施するための形態】
【００２１】
本発明は、時計１００、特に機械式時計のための巻上げデバイス１に関する。そのような時計１００は、従来のように、特に角穴車４００を備える少なくとも１つの香箱３００を収容するケース２００、及び前記ケースに対して移動可能な、少なくとも時間設定機能を制御する巻真５００を備える。
【００２２】
巻上げデバイス１は、時計１００の構造体７００に固着するように構成し、前記構造体７００は、時計１００内に組み込むことを目的とするムーブメント６００の板若しくは受等、又はケース２００自体、又はケース中板、裏板カバー等のケース内に備えた部材とすることができる。
【００２３】
本発明による巻上げデバイス１は、多目的である。というのは、巻上げデバイス１は、主巻上げデバイス、又は特に時計が自動巻上げデバイスも備えるケースでは更なる巻上げデバイスを形成することができるためである。この巻上げデバイス１は、ムーブメント６００を巻き上げることを意図する主香箱、又はクロノグラフ若しくは時打機構、オートマトン等の第２の機能のための第２の香箱に動力を与えることができる。当然、巻上げデバイス１は、異なる香箱にそれぞれ接続した複数の角穴車を駆動するように構成することもできる。
【００２４】
本発明は、主香箱を駆動する特定の非限定的なケースにおいて、図によって示す。
【００２５】
この巻上げデバイス１は、プッシュピース２を備え、プッシュピース２は、香箱３００を巻き上げるために少なくとも１つの角穴車４００を間接的に駆動するか、又は香箱３００の胴部を間接的に駆動するように構成する。
【００２６】
このプッシュピース２は、入れ子式に拡張可能な差込み結合を有する引込み式プッシュピースであり、ケース２００に固着するように構成したパイプ２１と、制御部材８を備えるユーザ作動可能頭部７との間に、第１の弾性制御手段６を備え、第１の弾性制御手段６は、頭部７をパイプ２１から離して移動させる性質をもつ。
【００２７】
この頭部７は、パイプ２１の長手方向軸に対して、停止位置ＰＢ及び作動位置ＰＡである２つの最端部位置の間を並進移動可能であり、停止位置ＰＢでは、頭部７がケース７に可能な限り近接し、頭部７が、パイプ２１の長手方向軸に対して１自由回転度を有し、作動位置ＰＡは、ユーザがより容易にアクセス可能な最大伸長位置であり、頭部７は、割送り角度位置においてケース２００に対して回転状態で割り送りされ、この頭部７は、２つの停止位置ＰＢと作動位置ＰＡとの間において載置位置ＰＲを占めることができ、載置位置ＰＲでは、頭部７は、割送り角度位置とは異なる少なくとも１つの角度係止位置においてパイプ２１に対して長手方向に固定することができる。より詳細には、このパイプ２１は、心軸８１を案内する第１のボア２２を備え、心軸８１は、頭部７に固定され、制御部材８を形成し、特に、限定はしないが、ラック４又は可動計時器構成要素を並進方向に推進する。
【００２８】
このプッシュピース２は、直線移動可能であり、ユーザの作用により、特に図に示すケースの場合のように、特に並進方向に、少なくとも１つのラック４を駆動するように構成する。ラック４は、直線的ではない行程、特に、例えば、ムーブメントの外形が丸い場合はムーブメントの外形を辿る環状行程を有し得るか、又は他の形状の行程であることを理解されたい。図の非限定的な例では、ラック４は、２つの支持体４１上に案内され、この構成は、ラック４の環状行程にも適するものである。
【００２９】
本発明によれば、プッシュピース２は、もっぱら巻上げ機能のために使用し、巻真５００とは別個である。
【００３０】
当然、このことは、巻真５００が、時計のエネルギー貯蔵要素、特に香箱を巻き上げる従来の機能を有することを排除するものではない。
【００３１】
プッシュピース２は、巻真５００に関連する列を一切使用せず、角穴車の回転の直接的な作動には無関係であることを理解されたい。
【００３２】
このプッシュピース２は、入れ子式に拡張可能であり、ケース２００に固定するように構成したパイプ２１と、制御部材８を支持するユーザ作動可能頭部７との間に、第１の弾性戻り手段６を支持し、第１の弾性戻り手段６は、頭部７をパイプ２１から離して移動させる性質をもつ。
【００３３】
頭部７は、パイプ２１の長手方向軸に対して限定的に回転並進移動可能である。
【００３４】
頭部７は、パイプ２１の長手方向軸に対して、停止位置ＰＢ及び作動位置ＰＡである２つの最端部位置の間を並進移動可能であり、停止位置ＰＢでは、頭部７がケース２００に可能な限り、例えば凹部内で近接し、頭部７は、パイプの長手方向軸に対して１自由回転度を有し、作動位置ＰＡは、ユーザがより容易にアクセス可能な最大伸長位置であり、頭部７は、割送り角度位置においてケース２００に対して回転状態で割り送りされる。２つの停止位置ＰＢと作動位置ＰＡとの間で、頭部７は、載置位置を占めることができ、載置位置では、頭部７は、割送り角度位置とは異なる少なくとも１つの角度係止位置においてパイプ２１に対して長手方向に固定される。
【００３５】
停止位置ＰＢは、一時的位置であり、頭部７の角度位置を、パイプ２１に対して割送り角度位置から係止角度位置に変更するか、又は係止角度位置から割送り角度位置に変更するためにのみ使用することは明らかである。この停止位置ＰＢでは、ユーザは、頭部７に回転を付与し、図の特定の非限定的な例では、角度位置を４５°変更可能にする。
【００３６】
図の一部では、これらの３つの位置の表示は重複しており、したがって、いくつかのケースでは、参照数字は、これらを良好に区別するために停止に文字Ｂ、作動にＡ、又は載置にＲを割り当てる。
【００３７】
本発明によれば、ラック４は、第２の弾性戻り手段５に対して移動可能であり、第２の弾性戻り手段５は、ラック４の推力に抵抗する力に対抗し、ユーザがプッシュピース２を解放するたびに前記ラックを行程開始位置に戻すように構成し、より具体的には、この少なくとも１つのラック４は、摺動可能に組み付け、非限定的な例示の例では、案内手段によって、又は少なくとも２つの支持体４１によって直線的に案内し、中間ラック４３と嵌合接続する巻上げ車セット４２と協働する。この中間ラック４３は、第２の弾性戻り手段５内に備えた少なくとも１つの戻りばね４４によって作動する。
【００３８】
より詳細には、巻上げ車セット４２は、摺動中間車４５と嵌合し、摺動中間車４５は、角穴車４００に関連付けた香箱３００を巻き上げるためにプッシュピース２を作動すると、摺動中間車４５の回転方向に応じて、角穴車４００と直接嵌合するか、若しくは図示のように伝え車４６と嵌合し、伝え車４６と嵌合した場合、伝え車４６は角穴車４００と嵌合する、又は角穴車４００及び伝え車４６と嵌合しない。
【００３９】
巻上げ車セット４２と、摺動中間車４５と、伝え車４６との間の歯車比を選択することによって、香箱を完全に巻き上げるのに必要なサイクル数を調節するか、又はプッシュピース２をその端部行程位置まで押すことによって、各巻上げサイクルで伝達するトルクを増大させることが可能であることを理解されたい。
【００４０】
より詳細には、巻上げ車セット４２は、ケース２００内のプッシュピース２の位置及び香箱（複数可）の回転方向に従って、少なくとも１つの逆転カナ４７を介して摺動中間車４５と嵌合する。当然、必要である場合、巻上げ車セット４２と摺動中間車４５との間により長い列を、必要な数の中間車及び逆転カナと共に挿入することが可能である。
【００４１】
女性用時計の非常に小型の口径に関係する非限定的な例示のケースでは、歯車比は、巻上げ車セット４２と角穴車４００との間のみであり、実際、所望の比率に従って巻上げ車セット４２の寸法決定に適合させることが容易である。より詳細には、摺動中間車４５、あらゆる逆転カナ４７、及び伝え車４６は、１の比率を伴って中間車として働く。当然、空間を損ねない程度ではあるが、車及びカナに対するこの比率を修正することが可能である。
【００４２】
香箱３００と本発明による巻上げデバイス１との間の相対的な配置によって、香箱３００と巻上げデバイス１との間の空間という観点だけではなく、時計ケースに対するこれらの相対的な角度配置、香箱３００の回転方向によっても、伝え車４６及び／又は逆転カナ４７の存在が必要になることを理解されたい。というのは、香箱３００は、香箱３００にエネルギーを供給する計時器ムーブメント６００の列の動作方向の設定によって巻き戻すためである。
【００４３】
より詳細には、巻上げデバイス１は、第３の弾性戻り手段又は逆転止めコハゼ４８を備え、第３の弾性戻り手段又は逆転止めコハゼ４８は、香箱の巻戻りを防止するばね４８０若しくは押さえばね等を備え、伝え車４６又は角穴車４００と協働する。したがって、摺動中間車４５は、反対方向の張力を受けることなく伝え車４６から容易に分離することができる。
【００４４】
例示的実施形態では、このコハゼ４８は、角穴車４００上ではなく伝え車４６上にあり、薄いムーブメント構成のために空間を最適化するが、このことは、より大型の口径のケースであり得るように、コハゼを角穴車上に置くこと、又は押さえばねが同じ機能を有することを排除するものではない。
【００４５】
例示的実施形態では、（ラック４を推進する）外向き行程上では、摺動中間車は係合し、戻り行程上では、摺動中間車は解放される。この構成は、ラック４の戻りばねに不要に過剰な寸法が必要であると思われる逆の構成よりも好ましい。
【００４６】
より詳細には、図示する実施形態でわかるように、頭部７の第１の直線的な行程は、ラック４の第２の直線的な行程に対して平行である。
【００４７】
図示しない別の変形形態では、頭部７の第１の直線的な行程は、ラック４の第２の直線的な行程に対して平行ではなく、制御部材８は、連結接続を介してラック４と協働するものであり、例えば、中間アームが、制御部材８を有する第１の連結部、及びラック４を有する第２の連結部を備える、等である。これらの連結は、連結ピンによって従来の様式で達成することができるか、又は連結接続は、シリコン等の機械加工可能な材料から作製した構成要素の使用により達成され、この構成要素は、多くの連結部として形成した複数の首部分を備え、ラック４と制御部材８との間に挿入されるか、又は一体に作製することもできるラック４と一体化される。更に別の変形形態では、制御部材８とラック４との間の推力接続は、くさび形を形成する勾配表面によって達成する。
【００４８】
より詳細には、図示する有利な実施形態では、プッシュピース２は、引込み式差込みプッシュピースであり、パイプ２１を備え、パイプ２１は、ケース２００の室２０１内に螺入及び／又は結合するように構成する。このパイプ２１は、心軸８１を案内する第１のボア２２を含み、心軸８１は、例えば雄ねじ２９及び雌ねじ７９等によって頭部７に固定し、少なくとも１つのラック４を特に並進駆動する制御部材８を形成する。より詳細には、第１のボア２２と心軸８１との間に少なくとも１つのガスケット９２を挿入し、ケース２００の内部の封止を保証する。
【００４９】
非限定的な例示の実施形態では、心軸８１は、その端部に、ねじ８０を備え、ねじ８０は、円滑前表面、より詳細にはスロットのない平坦表面を備え、ねじ８０は、外周輪郭によって駆動し、プッシュピース２がその長手方向軸周りに回転する際にラック４をひっかけないようにする。このねじ８０は、有利には、後停止部としても働き、特に図９に示すように心軸８１が外れないようにし、ねじ８０の頭部は、停止端部９１にもたせ掛かかり、停止端部９１は、スナップ・リング、スリット・リング等の機械式停止部、又はガスケットとすることができる。
【００５０】
より詳細には、図７にみられるように、プッシュピース２は、別個のモジュールを形成し、このモジュールは、ラック４を推進するように構成し、１つのユニットとして時計１００のケース２００の室２０１に挿入することができる。好ましくは、限定はしないが、パイプ２１は、ねじ及び／又は接着剤結合等により永続的に挿入される。
【００５１】
より詳細には、パイプ２１は、ケース２００の面にもたせ掛けることを目的とする推力カラー２３に近接して、頭部７のボア７２を摺動させる円筒形肩部２４を備える。図７にみられるように、パイプ２１の軸に対し平行な少なくとも１つの長手方向スロット２５は、この円筒形肩部２４の外周に設ける。頭部７の前端部７１と一体である突起７３は、頭部７とパイプ２１との間の相対的な並進の間、頭部７の特定の角度位置において、この長手方向スロット２５内で摺動し、この特定の角度位置とは、自由角度位置である。
【００５２】
この少なくとも１つの長手方向スロット２５により、カラー２３の近傍に、凹部２７がもたらされ、凹部は、差込み輪郭を形成し、差込み輪郭は、頭部７がパイプ２１に対して適切に回転した際に、突起７３を受け入れ、頭部７のパイプ２１に対する軸方向停止部を形成することができる。この場合、頭部７は角度係止位置にある。回転方向は重要ではなく、製品の人間工学を定義する際に選択される。
【００５３】
より詳細には、パイプ２１は、第１の室２８を備え、第１の室２８は、第２の室７８と位置合せされ、第２の室７８は、ばね３１を受け入れるために頭部７内に備えられ、ばね３１は、頭部７をパイプ２１から離して移動させる性質があり、第１の弾性戻り手段６を形成する。
【００５４】
より詳細には、凹部２７は、筐体２７０を備え、筐体２７０は、載置位置において突起７３を収容するように構成し、外周停止部２９によって長手方向スロット２５から分離されており、頭部７による軸方向移動がない中で突起７３を筐体２７０内部に収容する場合に頭部７の一切の回転を禁止する。この場合、頭部７は、図ではＰＲと呼ぶ載置位置にあり、角度係止位置において、頭部７を載置位置から解放して巻上げを実施するためには、頭部７に圧力を加え、停止位置ＰＢになるまで頭部７をパイプ２１のカラー２３に近づける必要があり、停止位置ＰＢは、一時的位置であり、突起７３と外周停止部２９との間に間隙を与えるには十分に遠く、ユーザが頭部７を更に遠くに推進することはできない。次に、ユーザは、頭部７に回転を加えることができ、回転により、頭部７を割送り角度位置に移動させ、これにより、長手方向への自由を可能にし、次に、ばね３１は、頭部７を作動位置ＰＡに向かって推進し、ばね３１は、その最大弛緩位置にあり、この最大弛緩位置から、ユーザは、頭部７を作動し、特定数の連続押下により香箱を巻き上げることができる。この回転は、図の非限定的な例では４５°である。
【００５５】
好ましくは、頭部７のぎざ付端部又は同様の端部、及び外側肩部７７のみがケース２００から突出するため、プッシュピース２の機構は、依然としてケース２００内部に常時隠れ、保護されている。
【００５６】
図示の特定の場合では、パイプ２１は、１８０°ずれた２つの同一の差込みスロットを備える。
【００５７】
本発明は、本明細書では、１つのレベルのプッシュピース２で示す。当然、多重レベルのプッシュピースの形態で、直線的な行程がより長い同様の機構を製造することが可能であり、これらのレベルは、内部で互いに同軸であり、それぞれ、最大伸長に向かう性質をもつ戻り手段を備える。
【００５８】
より詳細には、巻上げデバイス１は、モジュールを形成し、モジュールは、巻真３００とは別個であり、ケース２００に固定するように構成する。
【００５９】
本発明は、計時器ムーブメント６００にも関し、計時器ムーブメント６００は、本発明による少なくとも１つの巻上げデバイス１を固定した構造体７００を備える。
【００６０】
プッシュピース２は、時計内部のどこにでも収容されるように考案されている。例えば、図は、実質的に８時に位置するプッシュピース２を示し、角穴車を正しい方向に駆動する逆転カナ４７に対する要件を説明するものである。この逆転カナは、例えばプッシュピース２が実質的に４時に位置する別の構成では必要ではないと思われる。したがって、本発明は、プッシュピース２を利用可能な空間の位置に置くことを可能にするため、有利である。
【００６１】
特定の一実施形態では、１３．２ｍｍ幅のムーブメントの場合、ラック行程は２．７ｍｍである。プッシュピース２は、ラックのこの長さの行程に適合させなければならない。好ましくは、プッシュピース及びラックの行程は、似ているか、又は同一でさえある。係止位置は、機構内ではなくプッシュピース内になければならない。というのは、通常のプッシュピースとは異なり、差込み凹部にアクセスするように停止部をプッシュピース内に作製しなければならないためである。このことは、利用可能な空間を最良に利用するものである。ムーブメントの幅が１３．２ｍｍではなく２０ｍｍである場合、より長い行程を得ることができる。本発明は、長方形のムーブメントを上手に利用し、巻真からずらした後、ムーブメントの幅全体を通して多量の利用可能な空間を提供するものである。この特定のケースでは、プッシュピース２の頭部７の行程は、２．７ｍｍであり、行程開始時、ラック４に接触する前のねじ８０の空転行程は０．１ｍｍであり、支持体４１上のラックの停止部の間の利用可能な行程は、２．７ｍｍであり、香箱を巻き上げるのに有用なラックの行程は、２．６ｍｍであり、これは、ラックの行程端部と停止位置との間でラックの安全のために捧げられる０．１ｍｍのプッシュピースの行程のためである。
【００６２】
本発明は、有利には、頭部７をパイプ２１から離して移動させる性質をもつ第１の弾性戻り手段６（ばね３１）、ラックを戻す第２の戻り手段５、及び伝え車４６又は角穴車４００と協働する第３の弾性戻り手段である、３つの戻り手段のみを実装し、第３の弾性戻り手段は、図示の非限定的な変形形態では、コハゼ４８のばね４８０によって形成することができる。製品は、全体的に人間工学的であり、引込み式プッシュピースが長いが、行程が見えないという利点を有する。ユーザは、プッシュピースが隠れていても不便ではない。ラックの戻る力は、可能な限り小さいものでなければならず、受動的な摩擦を克服するように設計する。
【００６３】
同じ原理はプッシュピースにも適用される。これらの第１の戻り手段及び第２の戻り手段の戻る力は、同様で、同じ種類のものであり、製品の動作に関して特別な重要性はなく、本質的な点は、それぞれが、戻り手段が移動させる機構の構成要素に対する可能性のある詰まりを一切克服し得ることである。
【００６４】
本発明は、時計１００、特に機械式時計に更に関し、時計１００は、角穴車４００を備える少なくとも１つの香箱３００を収容するケース２００、及び巻真５００を備え、巻真５００は、少なくとも時間設定機能を制御するためにケース２００に対して移動可能であり、時計１００は、本発明による巻上げデバイス１を固定した構造体７００を備えるか、又はそのようなムーブメント６００を備え、前記ケース２００は、巻真５００から離れているプッシュピース２を収容する少なくとも１つの室２０１を備える。
【符号の説明】
【００６５】
１  巻上げデバイス
２  プッシュピース
４  ラック
５  第２の弾性戻り手段
６  第１の弾性戻り手段
７  頭部
８  制御部材
１００  時計
２００  ケース
３００  香箱
４００  角穴車
５００  巻真
６００  ムーブメント
７００  構造体
【図１】
2018155744.tif 000003
【図２】
2018155744.tif 000004
【図３】
2018155744.tif 000005
【図４】
2018155744.tif 000006
【図５】
2018155744.tif 000007
【図６】
2018155744.tif 000008
【図７】
2018155744.tif 000009
【図８】
2018155744.tif 000010
【図９】
2018155744.tif 000011
【図１０】
2018155744.tif 000012
【図１１】
2018155744.tif 000013